(57)【要約】【課題】異なる図柄を色を変えて表示可能な異図柄異色表示機能を有する表示装置を提供することを目的とする。【解決手段】透明な板材の裏面にそれぞれ異なる図柄、或いはその背景部分を、半透明インキにより印刷した複数枚の単位表示パネル２１、２３、２５を、パネルの法線方向に重ねて配置してなる表示パネルユニット２０と、前記各単位表示パネル２１、２３、２５に対応して個別に設けられて各単位表示パネル２１、２３、２５をパネル端面側より個別に照らす複数個の照明用光源５１、５３、５５からなり、かつ、その内の一が他の光源の発光色とは異なる発光色にて発光する多色照明装置と、前記多色照明装置の各照明用光源を個別に点灯制御する制御装置８０と、を備えたことを特徴とする。【選択図】図２
2009224717.tif 000002
【特許請求の範囲】
【請求項１】
透明な板材の裏面にそれぞれ異なる図柄、或いはその背景部分を、半透明インキにより印刷した複数枚の単位表示パネルを、パネルの法線方向に重ねて配置してなる表示パネルユニットと、
前記各単位表示パネルに対応して個別に設けられて各単位表示パネルをパネル端面側より個別に照らす複数個の照明用光源からなり、かつ、その内の一が他の照明用光源の発光色とは異なる発光色にて発光する多色照明装置と、
前記多色照明装置の各照明用光源を個別に点灯制御する制御装置と、を備えたことを特徴とする表示装置。
【請求項２】
隣接して配置される単位表示パネル間に空気層を形成させる空気層形成手段を設けたことを特徴とする請求項１に記載の表示装置。
【請求項３】
前記単位表示パネルの表裏いずれかの面に、前記空気層形成手段としての突起部を一体的に形成したことを特徴とする請求項２に記載の表示装置。
【請求項４】
前記表示パネルユニットを構成する最終段の単位表示パネルの裏面に、前記図柄、或いはその背景部分が印刷された領域を覆う大きさの光拡散シートを配置したことを特徴とする請求項１ないし請求項３のいずれか一項に記載の表示装置。
【請求項５】
請求項１ないし請求項４のいずれか一項に記載の表示装置を用いた表示方法であって、
前記制御装置により前記照明用光源を択一的に発光させることにより、前記表示パネルユニット上に各単位表示パネルに印刷された異なる図柄、或いはその背景部分を異なる表示色にて択一的に表示させる表示方法。
【請求項６】
請求項１ないし請求項４のいずれか一項に記載の表示装置を用いた表示方法であって、
前記各単位表示パネルの裏面に全体として一の全体図柄を形成する各部分図柄をそれぞれ印刷すると共に、前記制御装置により前記照明用光源を同時発光させることにより、前記表示パネルユニット上に前記全体図柄を各部分図柄ごとに多色で表示させる表示方法。
【発明の詳細な説明】
【技術分野】
【０００１】
本発明は、表示装置、表示方法に関する。
【背景技術】
【０００２】
従来から、透明板よりなる表示パネル上に、所望の図柄を、照明光を利用して表示させる表示装置が広く提案されている（下記特許文献１）。この文献に開示の表示装置は、表示対象となる図柄の形に加工した各色の感光フィルムを透明板の表面に重ねて貼り付けておき、係る透明板をパネル端面から各色のＬＥＤにて照らす構成を採用している。このようにすることで、ある色のＬＥＤを点灯させ透明板の内部に光を透過させると、それに対応する感光フィルムが反応してある図柄がＬＥＤの発光色にて表示される。また、別の色のＬＥＤを点灯させ透明板の内部に光を透過させると、それに対応する感光フィルムが反応して別の図柄がＬＥＤの発光色にて表示される。このように、上記装置は異なる図柄を異なる色で選択的に表示できるようになっている。
【特許文献１】特開２００７−１５８０４公報
【発明の開示】
【発明が解決しようとする課題】
【０００３】
上記構成のものは、共通の透明板に各色の感光フィルムを重ねて貼り付けてある。その一方、光源となるＬＥＤから出射される光のスペクトルは、ある程度の幅を持っているから、例えば、赤と青など波長の近いものを表示色として選択すると、赤色のＬＥＤを点灯させたときに、赤色に対応する感光フィルムに加えて青色に対応する感光フィルムも反応してしまうことがある。すると、表示パネル上には赤色に対応する図柄に加えて、本来的には表示されない青色に対応する図柄が薄く写ってしまう（以下、このような予期せぬ図柄が写り込む現象をゴースト現象と呼ぶ）。
本発明は上記のような事情に基づいて完成されたものであって、複数の図柄を異なる表示色で表示可能な表示装置を提供することを目的とする。
【課題を解決するための手段】
【０００４】
本発明は、透明な板材の裏面にそれぞれ異なる図柄、或いはその背景部分を、半透明インキにより印刷した複数枚の単位表示パネルを、パネルの法線方向に重ねて配置してなる表示パネルユニットと、前記各単位表示パネルに対応して個別に設けられて各単位表示パネルをパネル端面側より個別に照らす複数個の照明用光源からなり、かつ、その内の一が他の照明用光源の発光色とは異なる発光色にて発光する多色照明装置と、前記多色照明装置の各照明用光源を個別に点灯制御する制御装置と、を備えたところに特徴を有する。
【０００５】
尚、ここでいう「半透明インキ」というのは、顔料（主成分）と、添加剤、樹脂、溶剤などの副成分を所定比率で混合したものであり、主成分と副成分との重量比率（主成分１：副成分Ｎ）を、１対５０から１対１０００程度にすることが好ましい。また、顔料には白色系のもの、特に酸化チタンを使用することが好ましい。
【０００６】
本発明の実施態様として以下の構成とすることが好ましい。
・隣接して配置される単位表示パネル間に空気層を形成させる空気層形成手段を設ける。このようにしておけば、パネル間の通気性がよくなる。
【０００７】
・前記単位表示パネルのパネル表面に、前記空気層形成手段としての突起部を一体的に形成する。このようにしておけば、突起部を専用品とする場合に比して、表示装置の部品点数を少なくでき、コストメリットがある。
【０００８】
・前記表示パネルユニットを構成する最終段の単位表示パネルの裏面に、前記図柄、或いはその背景部分が印刷された領域を覆う大きさの光拡散シートを配置する。このようにしておけば、消灯時に、図柄を隠すことが可能となり、また、点灯時においても、光を表面側に反射させるので、図柄をより鮮明に発光表示させることが可能となる。
【０００９】
本発明は、請求項１ないし請求項４のいずれか一項に記載の表示装置を用いた表示方法であって、前記制御装置により前記照明用光源を択一的に発光させることにより、前記表示パネルユニット上に各単位表示パネルに印刷された異なる図柄、或いはその背景部分を異なる表示色にて択一的に表示させるところに特徴を有する。
【００１０】
本発明は、請求項１ないし請求項４のいずれか一項に記載の表示装置を用いた表示方法であって、前記各単位表示パネルの裏面に全体として一の全体図柄を形成する各部分図柄をそれぞれ印刷すると共に、前記制御装置により前記照明用光源を同時発光させることにより、前記表示パネルユニット上に前記全体図柄を各部分図柄ごとに多色で表示させるところに特徴を有する。
【発明の効果】
【００１１】
本発明によれば、表示対象となる図柄、或いはその背景部分に対応して、それぞれ別の単位表示パネルを設け、専用に設けた照明用光源によって、表示対象となる単位表示パネルを個別に照らす構成とした。このようにしておけば、照明用光源としてある程度、スペクトに幅をもった光源を使用したとしても、その光が、他の単位表示パネルに入射することがないので、いわゆるゴース現象を生じさせず、表示対象となる単位表示パネルに印刷された図柄のみを、確実に発光表示させることが可能となり、表示性能の高い表示装置の提供が可能となる。
【発明を実施するための最良の形態】
【００１２】
＜実施形態１＞
本発明の実施形態１を図１ないし図１２によって説明する。
図１は表示装置１０の斜視図、図２は表示装置１０の分解斜視図である。図３は表示パネルユニット２０の構造を示す図である。本表示装置１０は表示パネルユニット２０と、表示パネルユニット２０を縦向きに支持する支持台４０とから構成されている。
【００１３】
１．表示部の構成
表示パネルユニット２０は、同じ大きさに形成された三枚の単位表示パネル２１〜２５を備えている。これら各単位表示パネル２１、２３、２５は無色透明なアクリル板（無色透明なガラス板の代用が可能）よりなり、その厚みは約２ｍｍ程度とされている。
【００１４】
これら単位表示パネル２１、２３、２５の裏面２１Ｒ、２３Ｒ、２５Ｒには、表示対象となる各図柄が半透明インキによって、スクリーン印刷（メッシュＴ−２７０）してある。尚、本実施形態では、各単位表示パネル２１、２３、２５に三様の異なる図柄を印刷してある（図１０参照）。
【００１５】
上記半透明インキは、白色系の顔料（主成分）と、添加剤、樹脂及び溶剤などの（副成分）との重量比率を１対５０から１対１０００にて混合したものであればよく、具体的には上記白色系の顔料として酸化チタンを使用し、また上記樹脂として塩化ビニル樹脂、アクリル樹脂を使用し、上記溶剤として、揮発性有機溶剤を使用することとしている。
【００１６】
尚、本実施形態のものは、希釈インキを希釈剤により薄めて上記半透明インキを調合しており、上記希釈インキとして帝国インキ製造株式会社製の製品名「１３スクリーンインキ」の６１１特白コンクを使用し、上記希釈剤として同じく帝国インキ製造株式会社製の製品名「１３スクリーンインキ」の０００メジュウムを使用している。また、上記半透明インキによる印刷箇所（図柄）Ｙ１〜Ｙ３の膜厚は約１０μｍｍ程度とすることが好ましい。
【００１７】
本実施形態のものは、上記した図柄の印刷が施された三枚の単位表示パネルを、パネルの法線方向Ｌに、単位表示パネル２１、単位表示パネル２３、単位表示パネル２５の順に重ね（パネル表面２１Ｆ、２３Ｆ、２５Ｆ側を前に向けて順に重ね）、重ねた３枚の単位表示パネル２１〜２３のパネル周縁部（パネル下面を除く）を、不図面の粘着テープにより固定している。
【００１８】
そして、図３にて示すように、二段目の単位表示パネル２３と、三段目の単位表示パネル２５の各表面２３ＦＲ、２５Ｆの４隅に高さ約０．２ｍｍ程度の突起部２７を形成してあり、単位表示パネル２１と単位表示パネル２３との間、及び単位表示パネル２３と単位表示パネル２５との間に、突起部２７の高さ分の空気層Ｕを形成させるようになっている。
【００１９】
尚、本実施形態では、上記突起部２７を、以下の要領で形成させている。すなわち、単位表示パネル２３、２５の表面２３Ｆ、２５Ｆの４隅に、ＵＶインキ（紫外線硬化型のインキ）をスクリーン印刷し、その後、印刷箇所に紫外線を照射して、当該箇所を硬化させることによって突起部２７を形成させている。このようにすることで、単位表示パネル２３、２５に図柄を印刷するときに、上記突起部２７を、併せて形成することが可能となり、単位表示パネル２３、２５に対する図柄印刷、突起部２７の形成を、印刷工程のみで行うことが可能となる。
【００２０】
また、図１、図２に示す符号３０は光拡散シートである。光拡散シート３０は白色の合成紙であって、厚さ約０．２ｍｍ程度となっている。係る光拡散シート３０は、大きさが単位表示パネル２１、２５の大きさとほぼ同じ大きさとなっている。尚、本実施形態のものは、上記光拡散シート３０として、日清紡績株式会社製の製品名「ピーチコートＷＥＲ１３５ＤＳ」を使用している。
【００２１】
係る光拡散シート３０は、表示パネルユニット２０を構成する三段目（最終段）の単位表示パネル２５の裏面２５Ｒに対して、パネル周縁部に形成された接着層２９によって貼り付けられている。尚、光拡散シート３０には上記合成紙の他に、白色のＰＥＴ（ポリエチレンテレフタレート）フィルムによる代用が可能である。
【００２２】
２．ＬＥＤ基板４０、支持台６０の構成
ＬＥＤ基板４０は本発明の「多色照明装置」に相当するものであって、図４にて示すように、基板４０Ａの上面に、複数個のＬＥＤ（Light Emitting Diode）を基板長手方向に一列状に配置してなるＬＥＤ列を、基板幅方向に一定距離離して三段設けている。これら各ＬＥＤ列５１、５３、５５は、各単位表示パネル２１、２３、２５にそれぞれ対応しており、各ＬＥＤ列５１〜５５の配置ピッチｄ２は、各表示単位パネル２１〜２５のパネル間ピッチ（図３参照、ｄ１）に等しくなっている。
【００２３】
そして、これら各ＬＥＤ列５１〜５５は、列単位では同じ発光色のＬＥＤを使用しているものの、各列間では、ＬＥＤの発光色をそれぞれ異ならせてあり、本実施形態では、一段目の単位表示パネル２１に対応する一段目のＬＥＤ列５１の発光色は「赤色」とされ、二段目の単位表示パネル２３に対応する二段目のＬＥＤ列５３の発光色は「青色」とされ、三段目の単位表示パネル２５に対応する三段目のＬＥＤ列５５の発光色は「緑色」とされている。
【００２４】
上記ＬＥＤ基板４０は、支持台６０の底壁中央部にＬＥＤの発光面を上に向けた状態で、取り付けられている。支持台６０は、図２に示されるように箱型をなし、上面壁６１には、差し込み溝６３が形成されている。この差し込み溝６３は、内部に収容されるＬＥＤ基板４０の丁度真上にあたる位置に形成してあり、表示パネルユニット２０の大きさに対応して溝幅、溝の長さが設定されている。そのため、上方からの操作により表示パネルユニット２０を溝内に差し入れることが可能となっている。
【００２５】
また、図６にて示すように、差し込み溝６３には、下方に延設する位置決め壁６５が、溝縁に沿って設けられており、溝内の表示パネルユニット２０を板厚方向の両側（図６に示す左右両側）から挟んで、溝内の差し込まれた表示パネルユニット２０を位置決めしつつ起立した姿勢に支持する構成となっている。以上のことからに、図１、図５にて示すように支持台６０に対して表示パネルユニット２０を起立状態にて固定出来る構成となっている。
【００２６】
そして、支持台６０に対して表示パネルユニット２０を組み付けたときには、図６、図７にて示すように、各ＬＥＤ列５１〜５５が、各単位表示パネル２１〜２５のパネル下端面に対して、ＬＥＤの中心線をパネル側の中心線に一致させつつ向かい合った状態となる。
【００２７】
より具体的に言えば、一段目の単位表示パネル２１のパネル下端面に一段目のＬＥＤ列５１を構成する各ＬＥＤが向かい合った状態となり、また二段目の単位表示パネル２３のパネル下端面に二段目のＬＥＤ列５３を構成する各ＬＥＤが向かい合った状態となり、また三段目の単位表示パネル２５のパネル下端面に対して、三段段目のＬＥＤ列５５を構成する各ＬＥＤが向かい合った状態となる。
【００２８】
尚、本実施形態のものは、支持台６０の内部に表示パネルストッパ（不図示）を設けており、差し込み溝６３に挿入された表示パネルユニット２０が、ＬＥＤ基板４０上面のＬＥＤに突き当たらないように、ユニット２０の差し込み深さを規制している。
【００２９】
また、図７に示す符号４５は遮光板である。遮光板４５はＬＥＤ列５１〜５５の長手方向に沿って延びており、各ＬＥＤ列間を仕切っている。このような遮光板４５を設けることで、ＬＥＤ列５１〜５５を構成する各ＬＥＤから出射される光のうち側方に広がる光を遮光でき、ＬＥＤから出射された光を、それに対応する単位表示パネル２１〜２５に対してのみ入射させることが可能となる。
【００３０】
また、図１、図２にて示すように、支持台６０の前面壁６５には、回転操作子よりなる操作スイッチ７０が設けられている。この操作スイッチ７０は、表示状態の切替機能を担うものであって、「ＯＦＦ」、「Ｒ（赤表示）」、「Ｂ（青表示）」、「Ｇ（緑表示）」に、切り替え操作可能となっている。
【００３１】
次に、上記表示装置１０の電気的構成を説明する。本表示装置１０は、図８にて示すように制御装置（ＬＥＤ基板４０上に実装されている）８０を備えており、係る制御装置８０に操作スイッチ７０、及び各段のＬＥＤ列５１〜５５を構成する各ＬＥＤがそれぞれ電気的に連なっている。
【００３２】
そして、操作スイッチ７０を「Ｒ（赤表示）」、「Ｂ（青表示）」、「Ｇ（緑表示）」のいずれかの位置に合わせると、制御装置８０が、ＬＥＤ列５１〜５５を構成するＬＥＤを、列単位で一斉点灯させ、操作スイッチ７０を「ＯＦＦ」の位置に合わせると、点灯状態にある全ＬＥＤを一斉に消灯させる構成となっている。
【００３３】
３．表示原理と、表示効果
＜点灯時＞
例えば、操作スイッチ７０が「Ｒ（赤色）」の位置に操作された場合、図９の（ａ）にて示すように、一段目の単位表示パネル２１に対応するＬＥＤ列５１を構成するＬＥＤが一斉に点灯する。すると、ＬＥＤから出た光は、単位表示パネル２１のパネル下端面からパネル内部に入る。本例では、単位表示パネル２３との間に空気層Ｕを設けてあるので、光はパネル２１から漏れることなく、パネル２１内を進んでゆく。
【００３４】
そして、パネル２１内を進む光は、単位表示パネル２１の印刷箇所Ｙ１で顔料に反応して散乱を起こす。以上のことから、単位表示パネル２１に印刷された図柄がＬＥＤ列５１を構成するＬＥＤの発光色、すなわち赤色で発光表示される。しかも、本表示装置１０によれば、表示パネルユニット２０の背後に光拡散シート３０を配している。そのため、光拡散シート３０が、後方（図９では右手側）に向かう散乱光を反射させ、表示面側（図９では、左手側）に集める。以上のことから、十分な光量が得られ、図柄を鮮明に表示できる。
【００３５】
同様にして、操作スイッチ７０を「Ｂ（青色）」の位置に合わせると、図９の（ｂ）にて示すように、二段目の単位表示パネル２３に対応するＬＥＤ列５３を構成するＬＥＤが一斉に点灯する。すると、ＬＥＤから出て、パネル２３内を進む光は、単位表示パネル２３の印刷箇所Ｙ２で顔料に反応して散乱を起こす。以上のことから、二段目の単位表示パネル２３に印刷された図柄が、ＬＥＤ列５３を構成するＬＥＤの発光色、すなわち青色で発光表示される。
【００３６】
そして、操作スイッチ７０を「Ｇ（緑色）」の位置に合わせると、図９の（ｃ）にて示すように、三段目の単位表示パネル２５に印刷された図柄が、ＬＥＤ列５５を構成するＬＥＤの発光色、すなわち緑色で発光表示される。以上のことから、図１０にて示すように、異なる図柄を、異なる発光色にて選択的に表示することが可能となる。
【００３７】
＜消灯時＞
また、操作スイッチ７０を「ＯＦＦ」の位置に合わせると、それまで、点灯していた全ＬＥＤは消灯する。すると、それまで、表示されていた図柄は、輪郭を含め、表示パネルユニット２０上から消えて、見えなくなる。というのも、消灯時において、ユーザの視界に入る光は主として、表示パネルユニット２０を裏面から表示面側に抜ける自然光であるが、この自然光は、図１１にて示すように、光拡散シート３０によって拡散し、弱められる。
【００３８】
弱められた光の一部は単位表示パネル２１〜２５上の印刷箇所Ｙ１〜Ｙ３にてインキ中の顔料に反応するが、印刷は半透明インキにより行っているから、反応は極弱くなり、結局のところ、表示パネルユニット２０は光各拡散シート３０による拡散の作用により、印刷箇所を含むパネル全体が白っぽく写る状態となる。以上のことから、ユーザから見て、半透明インキにより印刷を行った印刷箇所Ｙとそれ以外の箇所がほとんど区別できない状態となる。
【００３９】
以上述べたように、本表示装置１０によれば、図１０にて示すように、異なる図柄を、異なる発光色にて選択的に表示することが可能となる。しかも、本表示装置１０では、表示対象となる三様の図柄に応じて、三枚の単位表示パネル２１〜２５を設けており、一の図柄を表示させるに際し、その図柄に対応する単位表示パネル（例えば、表示パネル２１）にのみＬＥＤの光を通している。言い換えると、ＬＥＤの光を、それ以外の他の単位表示ユニット（例えば、単位表示パネル２３、２５）には、全く入光させない構成となっている。
【００４０】
よって、ある程度、スペクトに幅をもった安価な光源（ＬＥＤ）を使用したとしても、いわゆるゴースト現象（表示対象以外の図柄が意に反して表示される現象）が原理上起ない。そのため、表示性能の高い表示装置１０を安価で提供することが可能となる。
【００４１】
また、本実施形態のものは、各単位表示パネル２１〜２５間に一定距離の空気層Ｕを設けてある。このようにしておくことで、以下の効果が得られる。ここで仮に、上記空気層Ｕを形成していないとすると、当然、パネル間の通気性が悪くなり、場合によっては、パネル間に水滴が溜まって、薄い水の膜を形成する。すると、この水の膜によって光が屈折／反射して干渉を起し、パネル上に虹状のリング模様を形成させてしまう。この点、本表示装置１０であれば、単位表示パネル２１〜２５間に空気層Ｕを設けてあるため、水の膜それ自体が出来ず、上記リング模様を形成させない。
【００４２】
また、本実施形態のものは、表示対象となる図柄を、単位表示パネル２１〜２５の裏面２１Ｒ、２３Ｒ、２５Ｒ側に印刷しており、印刷箇所Ｙがパネル表面側に露出されない。ここで、仮に、印刷をパネルの表面側に行ってしまうと、ユーザが手で触れたり、使用状況によっては風雨に晒されるなどして、印刷箇所Ｙが剥げたり、傷付いたりする恐れがある。この点、本実施形態では、上記のような印刷箇所Ｙの劣化を生じさせることがなく、この点も、効果的である。
【００４３】
また、本実施形態のものは、表示対象となる図柄の印刷するための半透明インキに、白色系の顔料を含有したものを使用している。白色系の顔料であれば、あらゆる色に反応するので、発光色の異なる三様の図柄の全てを同じ半透明インキで印刷することが可能となり、この点も、効果的である。
【００４４】
加えて、半透明インキに使用する白色系の顔料に酸化チタンを用いることで、以下の効果を奏することが可能となる。出願人によれば、酸化チタンは粒子の大きさが小さく、また他の顔料に比べて粒の大きさに均一性がある。そのため、樹脂を溶解させた溶剤（透明樹脂剤）と混合させたときに、樹脂の内部に留まり易い傾向（言い換えると、樹脂の表面に顔料が浮き出て来ることが少ない）にあり、他の白色顔料に比して透明度が高い。従って、消灯時において、図柄を消す効果が高く、本表示装置１０に使用する顔料として最適である。加えて、単位表示パネル２１、２３、２５に印刷を行ったときに、印刷面をフラットに出来、表示図柄それ自体も歪みなく表示できる。
【００４５】
また、本表示装置１０であれば、次のような表示方法も可能となる。まず、各単位表示パネル２１〜２５の裏面２１Ｒ、２３Ｒ、２５Ｒに、全体として一の全体図柄を形成する各部分図柄をそれぞれ印刷する。そして、図柄を表示するときには、制御装置８０により各ＬＥＤ列５１〜５５を構成する全ＬＥＤを一斉に同時発光させる。
【００４６】
このようにしてやれば、表示パネルユニット２０上に全体図柄を各部分図柄ごとに多色で表示させることが可能となる。尚、図１２には、全体図柄を多色にて表示させた具体例を示してある。この場合、図中の部分部柄Ｓ１を、単位表示パネル２１の裏面２１Ｒに印刷して「赤色」にて発光表示させ、図中の部分図柄Ｓ２を単位表示パネル２３の裏面２３Ｒに印刷して「青色」に発光表示させ、図中の部分図柄Ｓ３を単位表示パネル２５の裏面２５Ｒに印刷して「緑色」に発光表示させている。
【００４７】
＜実施形態２＞
次に、本発明の実施形態２を図１３ないし図１９によって説明する。
図１３は、実施形態２に係る表示装置１００の全体構成を示す斜視図である。この表示装置１００によれば、表示機能を担う表示部１１０と、表示を操作する操作ユニット２００と、を別体としてあり、表示部１１０を操作ユニット２００により遠隔操作可能な構成となっている。
【００４８】
表示部１１０は、３枚の表示パネルユニット１２１、１２３、１２５を重ねて配置してなる表示パネルユニット１２０と、同表示パネルユニット１２０を支える支持台１５０と、を備えてなる。
【００４９】
これら３枚の単位表示パネル１２１、１２３、１２５は無色透明のアクリル板からなり、実施形態１と同様に半透明インキにより、その裏面に表示対象となる図柄をスクリーン印刷してある。
【００５０】
また、支持台１５０は、実施形態１と同様に、表示パネルユニット１２０を起立状態に支持可能であると共に、内部に表示パネルユニット１２０を下から照らすＬＥＤ基板「本発明の（多色照明装置）に相当」１６０を収容させている。図１４にて示すように、実施形態２のＬＥＤ基板１６０は、基板１６０Ａの上面に、３色のＬＥＤ１６１、１６３、１６５を一列状に、等間隔で交互に配置している。
【００５１】
その一方、各単位表示パネル１２１、１２３、１２５は、パネル下端面のうち入光口１２１ａ、１２３ａ、１２５ａとなる一部の領域を残し、他の全ての領域を銀シールＺによりマスキング処理している。
【００５２】
より具体的に説明すると、例えば、単位表示パネル１２１であれば、赤色のＬＥＤ１６１に対応する部分のみパネル端面が露出（入光口１２１ａ）し、他の部分はマスキング処理が施されている。また、単位表示パネル１２３であれば、青色のＬＥＤ１６３に対応する部分のみパネル端面が露出（入光口１２３ａ）し、他の部分はマスキング処理が施され、また、単位表示パネル１２５であれば、緑色のＬＥＤ１６５に対応する部分のみパネル端面が露出（入光口１２５ａ）し、他の部分はマスキング処理が施されている。
【００５３】
このような構成とすることで、各単位表示パネル１２１〜１２５には、入光口１２１ａ〜１２５ａの正面に位置するＬＥＤの光のみが通され、入光口１２１ａ〜１２５ａから外れた位置にある他のＬＥＤの光は、銀シールＺで全て遮光される。そのため、赤色のＬＥＤ１６１を発光させたときには、その光は、入光口１２１ａを通って単位表示パネル１２１にのみ入光し、また、青色のＬＥＤ１６３を発光させると、その光は、入光口１２３ａを通って単位表示パネル１２３にのみ入光し、緑色のＬＥＤ１６５を発光させると、その光は、入光口１２５ａを通って単位表示パネル１２５にのみ入光することとなる（図１５〜１７参照）。
【００５４】
次に、図１３に戻って、操作ユニット２００について説明を行う。操作ユニット２００は箱型をなし、上面壁２１０に、３色のＬＥＤ１６１、１６３、１６５に対応して３つの操作レバー２２１、２２３、２２５を設け、また、下部に、制御装置２５０を収容させている。
【００５５】
図１８にて示すように、制御装置２５０と各操作レバー２２１、２２３、２２５とは電気的に接続されており、レバー操作すると、操作に応じた電気信号が制御装置２５０に入力される構成となっている。そして、制御装置２５０はケーブルを介して、表示部１１０側の各ＬＥＤ１６１、１６３、１６５に対して電気的に接続されており、各色のＬＥＤ１６１〜１６３を点灯、或いは消灯状態に制御可能である他、各色のＬＥＤの明るさ（光量）を強弱調整可能となっている。
【００５６】
尚、本実施形態のものは、操作レバー２２１が赤色のＬＥＤ１６１の操作用であり、操作レバー２２３が青色のＬＥＤ１６３を操作用であり、また、操作レバー２２５が緑色ＬＥＤ１６５の操作用となっている。
【００５７】
以上の構成とすることで、実施形態１と同様に、三様の図柄をそれぞれ異なる発光色にて発光表示できる。すなわち、例えば、操作レバー２２１〜２２５の操作により、赤色のＬＥＤ１６１のみを点灯させ、他のＬＥＤを消灯状態にしておけば、ＬＥＤ１６１の光は、入光口１２１ａを通って単位表示パネル１２１に対してのみ入光するので、一段目の単位表示パネル１２１に印刷された図柄が、赤色で発光表示される（図１９参照）。また、同様にして、青色のＬＥＤ１６３のみ点灯させてやれば、二段目の単位表示パネル２３に印刷された図柄が青色で発光表示され、緑色のＬＥＤ１６５のみ点灯させてやれば、三段目の単位表示パネル２３に印刷された図柄が緑色で発光表示される（図２０、図２１参照）。
【００５８】
また、一般に、人は色に対する感度に差があるので、例えば、「赤」のＬＥＤ１６１と、「緑」のＬＥＤ１６５を同じ条件で駆動させたとしても、「赤」の発光表示に比べて「緑」の発光表示は、暗く感じられ、表示差が起きてしまう。この点、本実施形態のものであれば、各色のＬＥＤ１６１〜１６５の明るさを調整できるようになってので、「赤」のＬＥＤ１６１に比べて、「緑」のＬＥＤ１６３を強く駆動させるなどすることによって、表示の明るさを均等にでき、この点も効果的である。
【００５９】
＜他の実施形態＞
本発明は上記記述及び図面によって説明した実施形態に限定されるものではなく、例えば次のような実施形態も本発明の技術的範囲に含まれる。
【００６０】
（１）実施形態１、実施形態２では、表示パネルユニット２０、１２０の構成として、単位表示パネル２１〜２５を三段重ねした構成例を示したが、単位表示パネルの段数は、三段に限定されるものでなく、二段或いは、三段以上としてもよい。
【００６１】
（２）実施形態１、実施形態２では、ＬＥＤ基板を、表示パネルユニット２０、１２０の下側に配置し、各単位表示パネルをパネル下端面から照らす構成としたが、ＬＥＤ基板４０、１６０の配置箇所は、表示パネルユニット２０、１２０の下側に限定されるものではなく、例えば、ＬＥＤ基板４０、１６０を、表示パネルユニット２０、１２０の周囲の４方に配置し、各単位表示パネルを四方から照らす構成とすることも可能である。
【００６２】
（３）上記実施形態１、実施形態２ではいずれも、単位表示パネル２１〜２５、１２１〜１２５に表示対象となる図柄そのものを半透明インキにより印刷する構成のものを例示したが、例えば、図２２にて示すように、背景を印刷しておき、図柄の背景部分を発光表示させる構成としてもよい。
【００６３】
（４）上記実施形態１では、本発明の「空気層形成手段」の一例として、二段目と三段目の単位表示パネル２３、２５に突起部２７を一体的に形成したものを示したが、突起部２７に替えてパネル間にスペーサを挿入することで、両間に空気層Ｕを形成させるなどしてもよい。
【００６４】
（５）実施形態２では、単位表示パネル１２１〜１２５に対するマスキング処理の一例として、パネル端面に銀シールＺを貼り合わせた例を示したが、光を遮光／反射させることでパネルに対する光の入光を阻止できれるものでばよく、例えば、パネル端面に反射膜を印刷したり、黒色の塗装を行うなどしてもよい。
【００６５】
（６）上記実施形態１、実施形態２では、白色系の顔料として、酸化チタンを用いたが、酸化チタンに炭酸カルシウムなどを含ませてもよい。
【００６６】
＜使用例＞
実施形態１の表示装置１０、実施形態２の表示装置１００及び他の実施形態に係る表示装置の使用例としては、例えば、以下のものを挙げることが出来る。
【００６７】
・自動車のインナパネル部分に用いられ、オイル残量、バッテリ残量、サイドブレーキの使用状況を、表示する表示装置
・公共施設、会議室、駐車場の使用状態を、表示する表示装置
・昇降機のカゴの状況（通常運転／非常運転）を、表示する表示装置
・昇降機の行き先を、表示する表示装置
・昇降機の乗り場位置を、表示する表示装置
・自動販売機の状態（売り切れ／販売中）を、表示する表示装置
・ゲームセンターの遊技機の表示装置
・ＡＴＭの使用手順などを、表示する表示装置
・店舗等商業施設のディスプレー
【図面の簡単な説明】
【００６８】
【図１】実施形態１に係る、表示装置の斜視図
【図２】その分解斜視図
【図３】表示部の構成を示す図
【図４】ＬＥＤ基板の平面図
【図５】表示装置の正面図（一部を切り欠いて支持台の内部構造を示す）
【図６】表示装置の側面図（一部を切り欠いて支持台の内部構造を示す）
【図７】図６中のＡ部を拡大した図
【図８】表示装置の電気的構成を示すブロック図
【図９】表示原理を示す図（点灯時）
【図１０】表示例を示す図
【図１１】表示原理を示す図（消灯時）
【図１２】他の表示例を示す図
【図１３】実施形態２に係る、表示装置の斜視図
【図１４】各単位表示パネルの各入光口に対する各ＬＥＤの位置関係を示す図
【図１５】図１４中のＥ−Ｅ線断面図
【図１６】図１４中のＦ−Ｆ線断面図
【図１７】図１４中のＧ−Ｇ線断面図
【図１８】表示装置の電気的構成を示す図
【図１９】表示例を示す図
【図２０】表示例を示す図
【図２１】表示例を示す図
【図２２】他の表示例を示す図
【符号の説明】
【００６９】
１０…表示装置
２０…表示パネルユニット
２１…単位表示パネル
２３…単位表示パネル
２５…単位表示パネル
２７…突起部
３０…光拡散シート
６０…支持台
４０…ＬＥＤ基板
４５…遮光板
５１…ＬＥＤ列（本発明の「照明用光源に相当」）
５３…ＬＥＤ列（本発明の「照明用光源に相当」）
５５…ＬＥＤ列（本発明の「照明用光源に相当」）
８０…制御装置
Ｙ…印刷箇所
【図１】
2009224717.tif 000003
【図２】
2009224717.tif 000004
【図３】
2009224717.tif 000005
【図４】
2009224717.tif 000006
【図５】
2009224717.tif 000007
【図６】
2009224717.tif 000008
【図７】
2009224717.tif 000009
【図８】
2009224717.tif 000010
【図９】
2009224717.tif 000011
【図１０】
2009224717.tif 000012
【図１１】
2009224717.tif 000013
【図１２】
2009224717.tif 000014
【図１３】
2009224717.tif 000015
【図１４】
2009224717.tif 000016
【図１５】
2009224717.tif 000017
【図１６】
2009224717.tif 000018
【図１７】
2009224717.tif 000019
【図１８】
2009224717.tif 000020
【図１９】
2009224717.tif 000021
【図２０】
2009224717.tif 000022
【図２１】
2009224717.tif 000023
【図２２】
2009224717.tif 000024